(57)【特許請求の範囲】
【請求項１】
洗車時に被洗浄車両が進入する洗車スペースと、前記洗車スペースに配して前記被洗浄車両に対して前後に相対移動して洗浄を行う本体部を有した洗車機と、前記洗車スペースに対して飛水防止壁を介して隣接する退出スペースと、を備え、前記飛水防止壁の前方を介して洗車後の前記被洗浄車両が前記洗車スペースから前記退出スペースに退出する洗車システムにおいて、
前記洗車機が前記洗車スペース内の前記被洗浄車両の前方に配して前記被洗浄車両の退出を案内する案内部と、前記退出スペース内の車両を検知する車両検知センサと、を有し、
前記車両検知センサによる車両の検知に応じた報知を前記案内部により報知し、
洗車終了時に前記被洗浄車両の側面に面して前記飛水防止壁が配置されることを特徴とする洗車システム。
【請求項２】
前記車両検知センサによる車両検知時に前記案内部による退出の禁止を案内することを特徴とする請求項１に記載の洗車システム。
【請求項３】
前記車両検知センサによって前記退出スペース内の前記飛水防止壁よりも前方で前記飛水防止壁に対して垂直方向に所定距離以内に配された車両を検知することを特徴とする請求項１又は２に記載の洗車システム。
【請求項４】
前記車両検知センサによって前記退出スペース内の前記飛水防止壁に沿って前方へ移動する前記車両を検知することを特徴とする請求項１〜３のいずれかに記載の洗車システム。
【請求項５】
前記車両検知センサが対向する発光素子及び受光素子を有し、発光素子及び受光素子の一方が前記飛水防止壁の前端に配されるとともに他方が前記飛水防止壁の前端に対して斜め前方に配されることを特徴とする請求項１〜３のいずれかに記載の洗車システム。
【請求項６】
前記車両検知センサが電波センサから成り、前記退出スペースの前端に配されることを特徴とする請求項１〜４のいずれかに記載の洗車システム。
【発明の詳細な説明】
【技術分野】
【０００１】
本発明は、洗車機を備えた洗車システムに関する。
【背景技術】
【０００２】
給油所等に洗車機が設置される従来の洗車システムは特許文献１に開示される。この洗車システムでは洗車時に被洗浄車両が進入する洗車スペースと洗車終了後に被洗浄車両が退出する退出路（退出スペース）とが設けられる。
【０００３】
洗車機は被洗浄車両を跨ぎ前後方向に移動する本体部を備える。本体の上部や側部には回転ブラシや空気を送出するブロアが設けられる。洗車時には回転ブラシは回転用モータによって回転し、被洗浄車両に対して接近及び離隔して摺動する。洗浄後にはブロアによって空気を送出して被洗浄車両は乾燥される。
【０００４】
また、洗車スペースと退出スペースとの間には飛水防止壁が一般的に設けられる。飛水防止壁により、退出スペース内のユーザへの飛水を防止することができる。
【先行技術文献】
【特許文献】
【０００５】
【特許文献１】特開２００３−１６００３３号公報
【発明の概要】
【発明が解決しようとする課題】
【０００６】
しかしながら、上記従来の洗車機によると、洗車スペースから退出する被洗浄車両内のユーザの視界が飛水防止壁によって遮断される。このため、退出スペースをユーザが十分に視認できずに退出し、退出スペース内の停車した車両や走行する車両に衝突する危険があった。
【０００７】
本発明は、退出スペース内の車両と被洗浄車両との衝突を防止できる洗車システムを提供することを目的とする。
【課題を解決するための手段】
【０００８】
上記目的を達成するために本発明は、洗車時に被洗浄車両が進入する洗車スペースと、前記洗車スペースに配して前記被洗浄車両に対して前後に相対移動して洗浄を行う本体部を有した洗車機と、前記洗車スペースに対して飛水防止壁を介して隣接する退出スペースと、を備え、前記飛水防止壁の前方を介して洗車後の前記被洗浄車両が前記洗車スペースから前記退出スペースに退出する洗車システムにおいて、前記洗車機が前記洗車スペース内の前記被洗浄車両の前方に配して前記被洗浄車両の退出を案内する案内部と、前記退出スペース内の車両を検知する車両検知センサと、を有し、前記車両検知センサによる車両の検知に応じた報知を前記案内部により報知することを特徴とする。
【０００９】
この構成によると、洗車スペース内で洗車が開始されると本体部が被洗浄車両に対して前後方向に相対移動して被洗浄車両が洗浄される。洗車が終了すると、案内部の音声や表示によって退出スペースの退出が促される。この時、車両検知センサによって退出スペース内の車両を検知すると、案内部によって退出の禁止や注意を促す報知が行われる。
【００１０】
また、本発明は上記構成の洗車システムにおいて、前記車両検知センサによる車両検知時に前記案内部による退出の案内を禁止することを特徴とする。
【００１１】
また、本発明は上記構成の洗車システムにおいて、前記車両検知センサによって前記退出スペース内の前記飛水防止壁よりも前方で前記飛水防止壁に対して垂直方向に所定距離以内に配された前記車両を検知することを特徴とする。
【００１２】
この構成によると、飛水防止壁に対して垂直方向に所定距離以内に車両がない場合は、退出を促された洗車後の被洗浄車両が洗車スペースに残らずに退出する。飛水防止壁に対して垂直方向に所定距離以内に車両がある場合は、例えば、案内部の報知によって被洗浄車両が洗車スペース内に待機する。
【００１３】
また、本発明は上記構成の洗車システムにおいて、前記車両検知センサによって前記退出スペース内の前記飛水防止壁に沿って前方へ移動する前記車両を検知することを特徴とする。
【００１４】
また、本発明は上記構成の洗車システムにおいて、前記車両検知センサが対向する発光素子及び受光素子を有し、発光素子及び受光素子の一方が前記飛水防止壁の前端に配されるとともに他方が前記飛水防止壁の前端に対して斜め前方に配されることを特徴とする。
【００１５】
また、本発明は上記構成の洗車システムにおいて、前記車両検知センサが電波センサから成り、前記退出スペースの前端に配されることを特徴とする。
【発明の効果】
【００１６】
本発明によると、車両検知センサによる車両の検知に応じた報知を案内部により報知するため、退出スペース内の車両と被洗浄車両との衝突を防止できる洗車システムを提供することができる。
【図面の簡単な説明】
【００１７】
【図１】本発明の実施形態の洗車システムを示す平面図
【図２】本発明の実施形態の洗車機を示す側面図
【図３】本発明の実施形態の洗車機を示す正面図
【図４】本発明の実施形態の洗車システムを示す平面図
【発明を実施するための形態】
【００１８】
以下に本発明の実施形態を図面を参照して説明する。図１は本発明の一実施形態の洗車システムの全体構成を示す平面図である。洗車システムでは洗車時に被洗浄車両ＣＡが進入する洗車スペースＰ１と、洗車スペースＰ１に対して飛水防止壁ＷＢを介して隣接する退出スペースＰ２とを有する。洗車スペースＰ１内には被洗浄車両ＣＡに対して前後移動して洗浄する本体部１が配される。
【００１９】
飛水防止壁ＷＢは前後方向に延びて所定の高さで形成される。これにより、退出スペースＰ２内へ洗車時の飛水を防止することができる。
【００２０】
洗車スペースＰ１、退出スペースＰ２の前方には前壁Ｗが設けられる。飛水防止壁ＷＢと前壁Ｗの間には隙間Ｓが形成され、洗車後にはユーザが運転する被洗浄車両ＣＡは隙間Ｓを介して洗車スペースＰ１から退出スペースＰ２へ移動する。洗車スペースＰ１の前壁Ｗに隣接して被洗浄車両ＣＡの前方には被洗浄車両ＣＡに対して退出を案内する案内部１５０が立設される。案内部１５０は音声や文字による報知を行う。
【００２１】
飛水防止壁ＷＢの斜め前方の前壁Ｗには電波センサから成る車両検知センサ５２が設けられる。車両検知センサ５２は矢印Ｄ１に示すように飛水防止壁ＷＢと平行に検知信号を発信する。これにより、退出スペースＰ２内を飛水防止壁ＷＢに沿って前方へ移動する車両を検知することができる。
【００２２】
車両検知センサ５１は発光素子５１ａ、受光素子５１ｂから構成される。飛水防止壁ＷＢの斜め前方の前壁Ｗには発光素子５１ａが設けられる。飛水防止壁ＷＢの前端には受光素子５１ｂが設けられる。発光素子５１ａは赤外線を発光し、受光素子５１ｂは該赤外線を受光する。これにより発光素子５１ａ、受光素子５１ｂ間（矢印Ｄ２）の車両を検知する。
【００２３】
車両検知センサ５３は飛水防止壁ＷＢの退出スペースＰ２側に所定の高さで複数設けられる。車両検知センサ５３は矢印Ｄ３に示すように飛水防止壁ＷＢと垂直に検知信号を発信する。これにより、退出スペースＰ２内を飛水防止壁ＷＢに沿って前方へ移動する車両を検知することができる。車両検知センサ５３の構成は電波センサでも赤外線センサでもよい。
【００２４】
図２、図３は洗車機ＷＡの側面図及び正面図である。洗車機ＷＡは本体部１、レール２及びリモートパネル７Ａを備えている。本体部２は左右の対向する２つのスタンド部９０と、スタンド部９０の上端を連結する天井部９１とを有して門型に形成される。
【００２５】
レール２は地面に左右一対設けられ、本体部１の底面に設けた車輪３がレール２上に配される。これにより、本体部１は走行モータ（不図示）の駆動によりレール２上を走行して被洗浄車両ＣＡに対して前後に相対移動するように立設される。
【００２６】
リモートパネル７Ａは本体部１の進入経路上に配される。被洗浄車両ＣＡはリモートパネル７Ａの面前で停車し、リモートパネル７Ａの操作によって洗車の受け付け等の操作を行う。
【００２７】
本体部１には被洗浄車両ＣＡ上に摺動してブラッシングする複数の回転ブラシが設けられる。回転ブラシは回転モータ（不図示）によって回転され、トップブラシ４、サイドブラシ５及びロッカーブラシ６から成っている。トップブラシ４が被洗浄車両ＣＡの上面に沿って移動し、被洗浄車両ＣＡの上面が洗浄される。サイドブラシ５及びロッカーブラシ６は被洗浄車両ＣＡの両側面を洗浄する。
【００２８】
本体部１の側方には洗剤やワックス等の各種液剤を貯液した複数の貯液タンク（不図示）を収納するタンク収納部５０が配される。タンク収納部５０の上方には市水及び各貯液タンクからの液剤を分配する分配配管部５１が設けられる。分配配管部５１には第１、第２浄水ノズル１１、１３、第１、第２洗剤ノズル１２、１５、撥水コートノズル１４、ワックスノズル１６がそれぞれ電磁弁を介して導出される。
【００２９】
第１、第２浄水ノズル１１、１３は本体部１の手前側及び奥側にそれぞれ配され、被洗浄車両ＣＡに対して市水を噴射する。第１、第２洗剤ノズル１２、１５は本体部１の手前側及び奥側にそれぞれ配され、被洗浄車両ＣＡに対してシャンプーなどの洗浄液を噴射する。撥水コートノズル１４及びワックスノズル１６は本体部１の後面上部に配される。撥水コートノズル１４は被洗浄車両ＣＡに対して撥水コート剤の液剤を噴射する。ワックスノズル１６は被洗浄車両ＣＡに対してワックスを噴射する。
【００３０】
また、本体部１には被洗浄車両ＣＡを気流を発生して乾燥させるブロア２０が設けられる。ブロア２０にはトップ送風ノズル２１及びサイド送風ノズル２２が接続される。トップ送風ノズル２１は本体部１の中央上部に設けられる。サイド送風ノズル２２は本体部１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００３１】
本体部１の前面上部、側部には車両センサ８、９が設けられている。車両センサ８、９は光電センサや超音波センサ等から成り、本体部１に進入する被洗浄車両ＣＡの外面形状を検知する。これにより、被洗浄車両ＣＡの形状や本体部１の走行範囲が決められる。
【００３２】
本体部１の一方のスタンド部９０の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００３３】
上記構成の洗車機ＷＡにおいて、本体部１が設定された洗車条件に基づいて前後方向に移動して洗浄を開始する。この時、複数の回転ブラシは被洗浄車両ＣＡ上に摺動してブラッシングして洗浄を行う。その後、本体部１の進行方向を反転して乾燥が行われる。この時、ブロア２０から気流が発生して被洗浄車両ＣＡの乾燥が行われる。
【００３４】
被洗浄車両ＣＡの洗車が終了すると、案内部１５０は音声や表示によって被洗浄車両ＣＡの退出を促すように案内する。これにより、図４の矢印Ｄ４に示すように被洗浄車両ＣＡが洗車スペースＰ１から退出スペースＰ２に退出する。
【００３５】
この時、退出スペースＰ２内の飛水防止壁ＷＢに沿って前方（矢印Ｄ５）へ移動する車両Ｃ１があると、車両検知センサ５２、５３により検知される。また、車両検知センサ５１により飛水防止壁ＷＢの前方の退出スペースＰ２内に停車した車両Ｃ２も検知される。
【００３６】
車両検知センサ５１、５２、５３により車両Ｃ１、Ｃ２を検知すると、案内部１５０に「車両接近中」と表示や音声によって報知して注意をユーザに促す。車両検知センサ５２と車両Ｃ１との距離が所定距離以下の場合には退出を禁止する案内を報知してもよい。
【００３７】
また、発光素子５１ａ及び受光素子５１ｂを結ぶ線上（Ｄ２）の車両Ｃ２を検知すると、案内部１５０から退出を禁止する案内を表示や音声によって報知する。この時、飛水防止壁ＷＢよりも前方で飛水防止壁ＷＢから垂直方向に所定の長さＬ以内の場合に限り車両Ｃ２を検知できるように車両検知センサ５１を配置してもよい。
【００３８】
長さＬは本体部１により洗浄可能な被洗浄車両ＣＡの車長としてもよい。これにより、退出スペースＰ２内に被洗浄車両ＣＡが退出できるスペースを確保して案内部１５０により退出を促すことができる。
【００３９】
本実施形態によると、車両検知センサ５１、５２、５３による車両Ｃ１、Ｃ２の検知に応じた報知を案内部１５０により報知するため、退出スペースＰ２内の車両Ｃ１、Ｃ２と被洗浄車両ＣＡとの衝突を防止できる洗車システムを提供することができる。
【００４０】
また、車両検知センサ５１、５２、５３による車両検知時に案内部１５０による退出の案内を禁止するため、退出スペースＰ２内の車両Ｃ１、Ｃ２と被洗浄車両ＣＡとの衝突の防止を容易に実現できる。
【００４１】
また、車両検知センサ５１によって退出スペースＰ２内の飛水防止壁ＷＢよりも前方で飛水防止壁ＷＢに対して垂直方向に所定距離Ｌ以内に配された車両Ｃ２を検知するため、車両Ｃ２と被洗浄車両ＣＡとの衝突をより確実に防止できるとともに、退出できるスペースを確保して退出を促すことができる。
【００４２】
また、車両検知センサ５２によって退出スペースＰ２内の飛水防止壁ＷＢに沿って前方へ移動する車両Ｃ１を検知するため、車両Ｃ１と被洗浄車両ＣＡとの衝突をより確実に防止できる。
【００４３】
また、車両検知センサ５１が対向する発光素子５１ａ及び受光素子５１ｂを有し、受光素子５１ｂが飛水防止壁ＷＢの前端に配されるとともに発光素子５１ａが飛水防止壁ＷＢの前端に対して斜め前方に配されるため、車両Ｃ２を容易に検出することができる。
【００４４】
また、車両検知センサ５２が電波センサから成り、退出スペースＰ２の前端に配されるため、車両Ｃ１、Ｃ２を容易に検出することができる。
【００４５】
本実施形態において車両検知センサ５１、５２、５３のいずれか一方を設けてもよい。また、複数の車両検知センサ５１をもうけてもよい。これにより車長の異なる車両Ｃ１、Ｃ２を確実に検知することができる。
【産業上の利用可能性】
【００４６】
本発明によると、洗車機を備えた洗車システムに利用することができる。
【符号の説明】
【００４７】
１    本体部
２    レール
３    車輪
４    トップブラシ
５    サイドブラシ
６    ロッカーブラシ
７    操作パネル
８    車両センサ
１４    撥水コートノズル
１６    ワックスノズル
２０    ブロア
２１    トップ送風ノズル
２２    サイド送風ノズル
３０    液剤噴射ノズル
５１    車両検知センサ
５１ａ  発光素子
５１ｂ  受光素子
５２  車両検知センサ
５３  車両検知センサ
９０    スタンド部
９１    天井部
１５０  案内部
Ｗ      前壁
ＷＡ    洗車機
ＷＢ    飛水防止壁
ＣＡ    被洗浄車両
【図１】
0005626193.tif 000002
【図２】
0005626193.tif 000003
【図３】
0005626193.tif 000004
【図４】
0005626193.tif 000005